(57)【要約】【課題】携帯電話等の情報端末装置の装着が容易であり、操作性に優れ、小型・軽量かつ信頼性の高い折畳式キーボード装置を提供する。【解決手段】キーボード装置の左側端部又は右側端部に、コの字形装置或いはＬ字形スタンド装置を設けることにより、情報端末装置が装着可能であり、折畳み時にはキーボード装置を確実にクランプ可能な構造を有しており、操作時にはキーピッチ間隔を１９ｍｍとして操作性の向上を図るとともに、小型・軽量かつ信頼性・耐久性の向上を図っている。【選択図】  図１
2004310701.tif 000002
【特許請求の範囲】
【請求項１】
キーボード装置の基体を基体のほぼ中央において左右に分割し、分割された左右のキーボード装置の基体をヒンジ装置等により連結された折畳式キーボード装置において、左側キーボード装置の左端部又は右側キーボード装置の右端部には、ヒンジ部とクランプ部とが相対して形成されており、ヒンジ部にはクランプ部を有するコの字形装置が連結されており、かつヒンジ部センターはキーボード装置折畳み用ヒンジ部のセンターと一致しており、キーボード装置折畳み時には、右側キーボード装置又は左側キーボード装置は該コの字形装置により抱えこまれクランプされることにより折畳み状態を確実に保持することを特徴とする折畳式キーボード装置。
【請求項２】
請求項１の折畳式キーボード装置において、該コの字形の折畳み維持装置は、キーボード操作時において、携帯情報端末装置を取付け支持するスタンドとしての機能を有することを特徴とする折畳式キーボード装置。
【請求項３】
請求項２のキーボード装置において、該コの字形の折畳み維持装置は２個に分離され、お互いにヒンジ装置により結合されていることにより、携帯情報端末装置を傾斜して取付け支持するスタンドとしての機能を有すること特徴とする折畳式キーボード装置。
【請求項４】
キーボード装置の左右のハウジング中央端部の形状は、メンブレンシートを保護する為に、操作時において八の字形に形成されていることを特徴とする折畳式キーボード装置。
【請求項５】
キーボード装置の基体を基体のほぼ中央において左右に分割し、分割された左右のキーボード装置の基体をヒンジ装置等により連結された折畳式キーボード装置において、左側キーボード装置の左端部又は右側キーボード装置の右端部には、ヒンジ部とクランプ部とが相対して形成されており、ヒンジ部にはクランプ部を有するＬ字形装置が連結されており、かつヒンジ部はキーボー装置の左側又は右側のいずれかの上端部又は下端部に位置しており、キーボード装置折畳み時には、右側キーボード装置又は左側キーボード装置は該Ｌ字形装置により抱えこまれクランプされることにより、折畳み状態を確実に保持することを特徴とする折畳式キーボード装置。
【請求項６】
請求項５の折畳式キーボード装置において、ヒンジ部を左側キーボード装置又は右側キーボード装置の上端部に設け、該ヒンジ部においてＬ字形装置をヒンジ結合させ、かつＬ字形装置のヒンジ部側にコネクター装置が装着されており、携帯情報端末装置を装着し、Ｌ字形装置の他端部を枕として安定して操作が可能であることを特徴とする折畳式キーボード装置。
【請求項７】
請求項５の折畳式キーボード装置において、ヒンジ部を左側キーボード装置又は右側キーボード装置の下端部に設け、該ヒンジ部においてＬ字形装置をヒンジ結合させ、かつＬ字形装置のヒンジ部側のかつＬ字形装置の背面部にコネクター装置が装着されており、携帯情報端末装置の装着が可能であることを特徴とする折畳式キーボード装置。
【発明の詳細な説明】
【０００１】
【産業上の利用分野】
本発明は、折畳式キーボード装置において、携帯情報端末装置が取付け可能であり、かつ左右の操作ユニットがスライドでき、小型・軽量であって操作性、経済性かつ信頼性に優れた折畳式キーボード装置に関するものである。
【０００２】
【従来の技術】
従来より携帯情報端末装置の装着可能な折畳式キーボード装置は商品化されているが、操作性に優れ、小型・軽量であり、低価格で信頼性に優れた折畳式キーボード装置は未だ開発されていない。
【０００３】
【発明の解決しようとする課題】
本発明は、上記従来の問題点を解決し、操作性に優れ、小型軽量で低価格であり信頼性が高く、かつ携帯情報端末装置の装着可能な折畳式キーボード装置を提供せんとするものである。
【０００４】
【課題を解決する手段】
本発明は、かかる課題を解決するためになされたものであり、キーボード装置内に携帯情報端末装置の取付け装置を設け、操作時においてはキーピッチ間隔が１９ｍｍであって操作性に優れており、小型軽量であり経済性を考慮した設計となっている。
【０００５】
キーボード装置の基体を基体のほぼ中央において左右に分割し、分割された左右のキーボード装置の基体をヒンジ装置等により連結された折畳式キーボード装置において、左側キーボード装置の左端部又は右側キーボード装置の右端部にはヒンジ部が設けられており、ヒンジ部にはクランプ部を有するコの字形装置が連結されており、キーボード装置折畳み時には、右側キーボード装置又は左側キーボード装置はコの字形装置により抱え込まれクランプされることにより折畳み状態を確実に保持する構造となっていおり、またヒンジ部センターはキーボード装置折畳み用ヒンジ部センターと一致する構造となっている。
【０００６】
キーボード操作時においては、コの字形折畳み維持装置はヒンジ部センターを中心として１８０度回転することにより、携帯電話等の情報端末装置を取付け支持することができるスタンドとしての構造となっている。
【０００７】
コの字形折畳み維持装置は本体部分と携帯情報端末装置を支持し、キーボードをクランプする部分との２個に分離され、ヒンジ装置により結合されており、操作時には携帯情報端末装置を安定して支持しうる構造となっている。
【０００８】
キーボード装置において、左右のハウジング中央端部の形状は、メンブレンシートを保護する為に、操作時においては八の字型になりメンブレンシートをカバーする様に形成されている。
【０００９】
キーボード装置の基体を基体のほぼ中央において左右に分割し、分割された左右のキーボード装置の基体をヒンジ装置により連結された折畳式キーボード装置において、左側キーボード装置の左端部又は右側キーボード装置の右端部には、ヒンジ部とクランプ部とが相対して形成されており、ヒンジ部にはクランプ部を有するＬ字形装置が連結されており、かつヒンジ部センターはキーボー装置の左側又は右側のいずれかの上端部又は下端部に設置されており、キーボード装置折畳み時には、右側キーボード装置又は左側キーボード装置は、Ｌ字形装置により抱えこまれクランプされることにより折畳み状態を確実に保持し得る構造となっている。
【００１０】
Ｌ字形装置をヒンジ結合させる場合において、ヒンジ部は左側又は右側のキーボード装置の上端部に設けられており、かつＬ字形装置のヒンジ部側にコネクター装置が装着されており、携帯情報端末装置を装着し、Ｌ字形装置の多端部を枕として安定的に操作が可能である構造となっている。
【００１１】
Ｌ字形装置をヒンジ結合させる場合において、ヒンジ部を左側キーボード装置又は右側キーボード装置の下端部に設け、ヒンジ部においてＬ字形装置をヒンジ結合させ、かつＬ字形装置のヒンジ部側のかつＬ字形装置の背面部にコネクター装置が装着されており、携帯情報端末装置の装着が可能な構造となっている。
【００１２】
【発明の実施の形態】
本発明の実施の形態について、図１〜図２０について説明する。図１は本発明によるコの字形装置をキーボード装置左側端部に装着した場合の操作時における全体平面図である。図１ａは平面図、図１ｂは側面図である。１はキースイッチ群であり、２は化粧パネル、５１はコの字形装置本体、５２は支持板、６０は携帯電話装置、７は取手、２９はヒンジである。操作時においてはコの字形装置５を外側に１８０度展開し、６０の携帯電話をコネクター取付体６１に接続し、コの字形装置本体５１及び５２により支持し、かつ左右のキースイッチ群を７１及び７２の左右の取手により内寄せし、横方向ピッチは１９．０５ｍｍとなる。折畳み時においては、７１及び７２の取手により左右のキースイッチ群を外寄せし、６０の携帯電話をコネクター取付体６１より外し、５のコの字形装置により右側キーボード装置を抱え込みクランプする。２３は左化粧パネルに設けられたクランプ用突起である。
【００１３】
図２はキーボード装置の折畳み時の状態を示す。図２ａは平面図、図２ｂは側面図である。２２は右化粧パネル、５はコの字形装置、５２１はコの字形装置のクランプ部、６１はコネクター取付体である。
【００１４】
図３はキーボード装置を折畳み、コの字形装置５を１８０度展開し、支持板５２を情報端末装置を支持する為に起した場合の状態を示す。図３ａは平面図、図３ｂは側面図である。５１１はコの字形装置本体５１の取付け用ヒンジ部であり、ヒンジ部５１１のセンターはキーボード装置折畳み用ヒンジ部２９のセンターと一致しており、５２３は支持板５２とコの字形装置本体５１との結合用ヒンジ部である。５２２は支持板５２と一体の部分である５２１に設けられたクランプ用切欠穴であり、突起２３に嵌り込みキーボード装置をクランプする。
【００１５】
図４は左化粧パネル２１の平面図である。図４ａは平面図、図４ｂは側面図である。２１１はガイドレールであり断面はコの字型であって、操作部ユニットがスライドする場合のガイドとなっている。２１２及び２１３はプレス成形され凹面状態となっており、化粧パネルの補強効果を有している。２８はコネクター装置取付用穴であり、２９１はコの字形装置本体５１取付け用ヒンジである。
【００１６】
図５はコの字形装置本体５１を示す。図５ａは平面図、図５ｂは側面図である。５１１及び５１２はヒンジ部である。
【００１７】
図６は支持板５２を示す。５２１は支持板５２の１部分を形成しているが、５２１にはクランプ用切欠き５２２が設けられており、折畳み時クランプの役目を果たしている。
【００１８】
図７はコネクター取付体６１を示す。図７ａは底面図、図７ｂはＡ−Ａ断面図、図７ｃはＢ−Ｂ断面図、図７ｄは平面図である。６２は取付体６１を左側化粧パネル２１又は右側化粧パネル２２に取り付ける為のネジ穴である。
【００１９】
図８はコネクター６を示す。
【００２０】
図９は左側ハウジングを示す。図９ａは平面図、図９ｂは側面図である。３１は左側ハウジング本体であり金属製である。３３は左取手保持用ばねであり、３４は操作時メンブレンシート保護用に形成されている。
【００２１】
図１０は左側取手７１を示す。図１０ａは平面図、図１０ｂはＡ−Ａ断面図、図１０ｃはＢ−Ｂ断面図である。７３は取手７１に形成された溝でありハウジングのばね３３が嵌り込み取手７１を保持するためのものである。７４は左側取手７１の凹部に形成された溝であり、取手使用時指先のかかりをよくするためのものである。
【００２２】
図１１はプリント基板を示す図である。４１は左側プリント基板本体、４３は電池、４４はプロセッサー、４５はメンブレンシートマトリックス配線を受け止めるコネクター、４６及び４７はＬＥＤである。
【００２３】
図１２はプリント基板のカバー４８を示す図である。図１２ａは平面図、図１２ｂは側面図、図１２ｃはＡ−Ａ断面図である。
【００２４】
図１３はキーボード装置のスイッチ部断面図を示す図である。図１３ａはキーボード装置を折畳む過程の状態を示すものであり、図１３ｂは内寄せした操作時の状態を示すものである。１１はキートップ、１２はパンタグラフ、１３はドームスプリング、１４はホルダー、４はメンブレンシート、３４、３５はハウジング３１、３２に形成された保護板であり操作時メンブレンシート４を保護する為八の字形に成形されている、２２は右側化粧パネルである。
【００２５】
図１４はＬ字形装置をキーボード装置左側端部に装着し、携帯電話をＬ字形装置の背面に装着した場合の操作時における全体平面図である。図１４ａは平面図、図１４ｂは側面図である。１はキースイッチ群であり、２は化粧パネル、５５１はＬ字形スタンドＩ形本体、６０は携帯電話装置、７は取手、２９はヒンジである。操作時においてはＬ字形スタンドＩ形本体５５１を外側に約１８０度展開し、６０の携帯電話をコネクター取付体６１に接続し、Ｌ字形スタンドＩ形本体５５１の背面部にセットして、かつ左右のキースイッチ群を７１及び７２の左右の取手により内寄せすることにより、横方向ピッチは１９．０５ｍｍとなる。折畳み時においては、７１及び７２の取手により左右のキースイッチ群を外寄せし、６０の携帯電話をコネクター取付体６１より外し、５５１のＬ字形Ｉ形本体により右側キーボード装置を抱え込みクランプする。２４は右化粧パネル２２に設けられたクランプ用突起である。
【００２６】
図１５はキーボード装置の折畳み状態において携帯電話を装着した場合の状態を示す図である。図１５ａは平面図、図１５ｂは側面図である。携帯電話６０は、左化粧パネル２１の表面におかれておりコネクターにより接続されている、６１はコネクター取付体である。なお携帯電話６０は化粧パネルの表面にファスナー等で固定することもできる。
【００２７】
図１６はＬ字形スタンドＩＩ形５６の組立図である。図１６ａは平面図、図１６ｂはＡ−Ａ断面図である。Ｌ字形スタンドＩＩ形本体５６１は、一端にヒンジ部５６２が他端にクランプ部５６３が形成されており、更にヒンジ部５６２の近傍に台座５６４（図１７）が設けられ、コネクター６は台座５６４にセットされ押え板５６６によりネジ止めされている、５６７は止めネジである。コネクター６は容易に上、下逆転セットできるので携帯電話の機種対応が簡単にできる構造となっている。
【００２８】
図１７はＬ字形スタンドＩＩ形の本体５６１を示す。図１７ａは平面図、図１７ｂは側面図、図１７ｃは同じく側面図である。５６５はクランプ用の切欠穴であり、５６４はコネクター取付け用台座である。
【００２９】
図１８は押え板５６６の構造を示す図である。図１８ａは平面図、図１８ｂはＡ−Ａ断面図、図１８ｃは底面図である。５６８はコネクターカバーである。
【００３０】
図１９はＬ字形スタンドＩ形５５の組立図である。図１９ａはキーボード装置を折畳みクランプした状態を示し、図１９ｂはＬ字形スタンドＩ形を約１８０度回転したセット状態を示す。５５１はＬ字形スタンドＩ形本体、５５２はヒンジ部、５５３はクランプ部、５５４はコネクター取付け用台座、６はコネクター、９はキーボード装置である。
【００３１】
図２０はＬ字形スタンドＩ形本体５５１の構造を示す。図２０ａは平面図、図２０ｂは側面図である。５５１は本体、５５２はヒンジ部、５５３はクランプ部、５５４は台座である。
【００３２】
【発明の効果】
本発明による折畳式キーボード装置は、携帯電話等の情報端末装置の装着可能であり、操作時におけるキーピッチ間隔が通常のパソコンと同じで操作性が良好であって、信頼性・耐久性に優れ、小型・軽量でかつ低コストのキーボード装置である。
【図面の簡単な説明】
【図１】本発明に係わるキーボード装置のコの字形装置を装着した場合の操作時の全体平面図である。
【図２】本発明に係わるキーボード装置の折畳み時の状態を示す外観図。
【図３】本発明に係わるキーボード装置のコの字形装置を展開した場合の外観図である。
【図４】本発明に係わるキーボード装置の左化粧パネルの平面図である。
【図５】本発明に係わるキーボード装置のコの字形装置本体を示す。
【図６】本発明に係わるキーボード装置のコの字形装置支持板を示す。
【図７】本発明に係わるキーボード装置のコネクター取付体を示す。
【図８】本発明に係わるキーボード装置のコネクターの外観図である。
【図９】本発明に係わるキーボード装置の左側ハウジングの平面図。
【図１０】本発明に係わるキーボード装置の左側取手を示す。
【図１１】本発明に係わるキーボード装置のプリント基板の平面図。
【図１２】本発明に係わるキーボード装置のプリント基板カバーを示す。
【図１３】本発明に係わるキーボード装置のスイッチ部断面図である。
【図１４】本発明に係わるキーボード装置のＬ字形ＩＩ型装置を装着した操作時の外観図である。
【図１５】本発明に係わるキーボード装置の折畳時にＬ字形ＩＩ型装置に携帯電話を装着した場合の外観図である。
【図１６】本発明に係わるキーボード装置のＬ字形スタンドＩＩ形を示す。
【図１７】本発明に係わるキーボード装置のＬ字形スタンドＩＩ形本体を示す。
【図１８】本発明に係わるキーボード装置の押え板を示す。
【図１９】本発明に係わるキーボード装置のＬ字形スタンドＩ形の組立図である。
【図２０】本発明に係わるキーボード装置のＬ字形スタンドＩ形本体を示す。
【符号の説明】
１        キースイッチ群          ２１１        ガイドレール
１１      キートップ              ２１２        凹面状態
１２      パンタグラフ            ２１３        凹面状態
１３      ドームスプリング        ２２          右化粧パネル
１４      ホルダー                ２３          突起
２        化粧パネル              ２４          突起
２１      左化粧パネル            ２８          取付け用穴
２９      ヒンジ                  ５５１        Ｌ字形スタンドＩ形本体
２９１    ヒンジ                  ５５２        ヒンジ部
３１      左ハウジング本体        ５５３        クランプ部
３２      右ハウジング本体        ５５４        台座
３３      バネ                    ５６          Ｌ字形スタンドＩＩ形
３４      保護板                  ５６１        Ｌ字形スタンドＩＩ形本体
３５      保護板                  ５６２        ヒンジ部
４        メンブレンシート        ５６３        クランプ部
４１      左側プリント基板本体    ５６４        台座
４３      電池                    ５６５        切欠き部
４４      プロセッサー            ５６６        押え板
４５      コネクター              ５６７        止めネジ
４６      ＬＥＤ                  ５６８        カバー
４７      ＬＥＤ                  ６            コネクター
４８      基板カバー              ６０          携帯電話
５        コの字形装置            ６１          コネクター取付体
５１      コの字形装置本体        ６２          取付ネジ穴
５１１    ヒンジ部                ６３          コネクタ挿入部
５１２    ヒンジ部                ７            取手
５２      支持板                  ７１          左側取手
５２１    支持板クランプ部        ７３          溝
５２２    クランプ用切欠き部      ７４          溝
５２３    ヒンジ部                ９            キーボード装置
５５      Ｌ字形スタンドＩ形
【図１】
2004310701.tif 000003
【図２】
2004310701.tif 000004
【図３】
2004310701.tif 000005
【図４】
2004310701.tif 000006
【図５】
2004310701.tif 000007
【図６】
2004310701.tif 000008
【図７】
2004310701.tif 000009
【図８】
2004310701.tif 000010
【図９】
2004310701.tif 000011
【図１０】
2004310701.tif 000012
【図１１】
2004310701.tif 000013
【図１２】
2004310701.tif 000014
【図１３】
2004310701.tif 000015
【図１４】
2004310701.tif 000016
【図１５】
2004310701.tif 000017
【図１６】
2004310701.tif 000018
【図１７】
2004310701.tif 000019
【図１８】
2004310701.tif 000020
【図１９】
2004310701.tif 000021
【図２０】
2004310701.tif 000022